(57)【要約】【課題】ユーザの手指および肢体の傷害を防止できる弾性枢設軸の関節を持つハンマーを提供する。【解決手段】振られるハンマーヘッドの構造１００はハンマーヘッド１０２、枢設軸構造１０３および回転軸１０５から形成され、回転軸１０５にはニーズにより弾性フレキシブル材料２０４がはめられる。振られる枢設軸を持つ取っ手構造２００は一端が握りに供され、他端がハンマーヘッドの構造１００の枢設軸構造とリンクする枢設軸構造を有する。枢設関節の角度位置移動の制限体は振られるハンマーヘッドの構造１００と振られる枢設軸を持つ取っ手構造２００との間に設置されている。弾性枢設軸の関節を持つハンマーは、ハンマーヘッド１０２と取っ手構造２００とのたたく方向に一つ又は一つ以上の該方向に振られる枢設軸を中心として逆作用力を振られる方向に解放する。【選択図】　　図１
2004042201.tif 000002
【特許請求の範囲】
【請求項１】
たたく方向に沿って振られることが可能な弾性枢設軸の関節を持つハンマーにおいて、ハンマーヘッドと取っ手とのたたく方向に一つ又は一つ以上の該方向に振られる枢設軸を中心として、逆作用力を振られる方向に解放することを特徴とするハンマー。
【請求項２】
請求項１記載のハンマーにおいて、
振られるハンマーヘッドの構造（１００）は選定の材質で必要な幾何形状に一体的にハンマーヘッド又はマルチアセンブリタイプのハンマーヘッド構造を造り、主にハンマーヘッド（１０２）、枢設軸構造（１０３）および回転軸（１０５）から形成され、回転軸（１０５）はニーズにより弾性フレキシブル材料（２０４）をはめるかどうかを選択し、枢設軸構造（１０３）を介して振られるハンマーヘッドがたたく力を受けるとき、たたく方向に沿って角度および位置が移動し、振られ、
振られる枢設軸を持つ取っ手構造（２００）は選定の材質で必要な幾何形状に一体又はマルチアセンブリタイプの構造を造り、振られる枢設軸を具有する一端が握るために用意され、他端に出力端として振られるハンマーヘッドの構造（１００）の枢設軸構造とリンクする枢設軸構造（１０４）があり、回転軸（１０５）は両者をリンクする枢設軸構造（１０３）であり、回転軸（１０５）にはねじ込み、リベット結合又は嵌め込み方式を採用し、回転軸（１０５）はニーズにより弾性フレキシブル材料（２０４）をはめるかどうかを選択し、振られるハンマーヘッドの構造（１００）と振られる枢設軸を持つ取っ手構造（２００）との間にはたたく方向に沿って作用力を受けるとき、角度および位置の移動が生じ、
枢設関節の角度位置移動の制限体は振られるハンマーヘッドの構造（１００）と振られる枢設軸を持つ取っ手構造（２００）との間に設置され、両者が力を受けない場合、フレキシブルの安定状態となり、両者が力を受ける場合、たたく方向に沿ってフレキシブルに角度および位置の移動が生じることを特徴とするハンマー。
【請求項３】
請求項２記載のハンマーにおいて、枢設関節の角度位置移動の制限体の構造方式は振られる枢設軸を持つ取っ手構造（２００）と振られるハンマーヘッド（１００）の構造との間に薄片スプリング（２０１）、同じ機能のコイル形状スプリング又は重畳薄片式スプリングを放置し、枢設関節の角度位置移動の制限体を構成することを特徴とするハンマー。
【請求項４】
請求項２記載のハンマーにおいて、枢設関節の角度位置移動の制限体の構造方式は、振られる枢設軸を持つ取っ手構造（２００）と振られるハンマーヘッドの構造（１００）との間で一方又は両者の構造体をたたく方向に沿って延ばし、弾性の構造（２０２）をなし、枢設関節の角度位置移動の制限体とし、ニーズに応じて弾性構造と振られるハンマーヘッドの構造（１００）との間に重畳薄片式スプリング（２０３）を追加してもよいことを特徴とするハンマー。
【請求項５】
請求項２記載のハンマーにおいて、枢設関節の角度位置移動の制限体の構造方式は振られる枢設軸を持つ取っ手構造（２００）と振られるハンマーヘッドの構造（１００）との間に弾性フレキシブル材料を選定設置し、ＰＵ、プラスチック又はゴムなどの弾性フレキシブル材料（２０４）を枢設関節の角度位置移動の制限体とすることを特徴とするハンマー。
【請求項６】
請求項２記載のハンマーにおいて、枢設関節の角度位置移動の制限体の構造方式は振られる枢設軸を持つ取っ手構造（２００）と振られるハンマーヘッドの構造（１００）との間に相互にはめる枢設軸構造を採用し、結合すると、たたく方向に沿って角度および位置移動の空間が生じ、角度および位置移動の空間に弾性フレキシブル材料（２０４）を配置し、たたく前に、振られる枢設軸を持つ取っ手構造（２００）と振られるハンマーヘッドの構造（１００）との間にフレキシブルかつ安定した力を施す状態を維持することを特徴とするハンマー。
【請求項７】
請求項２記載のハンマーにおいて、枢設関節の角度位置移動の制限体の構造方式は振られる枢設軸を持つ取っ手構造（２００）と振られるハンマーヘッドの構造（１００）との間、ならびに枢設軸と枢設軸との間にギャップを入れ、又は弾性フレキシブル材料（２０４）を選定設置し、ＰＵ、プラスチック又はゴムなど弾性のフレキシブル材料を枢設関節の角度位置移動の制限体とすることを特徴とするハンマー。
【請求項８】
請求項１記載のハンマーにおいて、振られるハンマーヘッドの構造（１００）の中段には外大内小の階段式の横方向の貫通孔（５０１）又は喇叭状孔があり、その一端はキャップヘッドを持ち、他端は枢設軸を具有する中継棒（３００）が貫通し、中継棒（３００）の中間断面、ならびに振られるハンマーヘッドの構造（１００）の貫通孔の形状は方孔又は近似方形孔であり、両者を結合した後で回転しない様々な幾何断面形状を採用可能であり、中継棒（３００）のキャップヘッドの外直径が振られるハンマーヘッドの横方向貫通孔の小さな口径より大きいことで、脱落が防止され、中継棒（３００）の枢設軸末端は振られる枢設軸を持つ取っ手構造（２００）の枢設軸構造（１０３）に貫通枢設軸（１０５）を介してリンクし、回転軸（１０５）はニーズにより弾性フレキシブル材料（２０４）をはめるかどうかを選択し、振られるハンマーヘッドの構造（１００）と振られる枢設軸を持つ取っ手構造（２００）との間にはたたく方向に沿って角度および位置移動の機能があり、両者の間には角度および位置移動のフレキシブル制限機構があり、中継棒（３００）とハンマーヘッドとの間に前記枢設関節の角度および位置移動のフレキシブル制限体をいれ、そのフレキシブル制限体は弾性フレキシブル材料（２０４）を選定設置し、ＰＵ、プラスチック又はゴムなどのフレキシブル材料を枢設関節の角度位置移動の制限体とし、振れるハンマーヘッドの構造（１００）と振れる枢設軸を持つ取っ手構造（２００）との間に一つ又は一つ以上の枢設関節の角度位置移動の制限体構造を設置することを特徴とするハンマー。
【請求項９】
請求項１記載のハンマーにおいて、振られる枢設軸を持つ取っ手構造（２００）があり、多段式構造設計として、振られるハンマーヘッドの構造（１００）と振られる枢設軸を持つ取っ手構造（２００）との間に中継関節（４００）を追加し、中継関節（４００）の両端には枢設軸構造があり、貫通する回転軸（１０５）で振られるハンマーヘッドの構造（１００）の枢設軸構造（１０３）と枢設軸を持つ取っ手構造（２００）の枢設軸構造とにリンクし、回転軸（１０５）にニーズにより弾性フレキシブル材料（２０４）をはめるかどうかを選択し、中継関節の中間部には外に延びる構造があることで、振られるハンマーヘッドの構造（１００）と枢設軸を持つ取っ手構造（２００）とにリンクし、両者の間には同時に前記枢設関節の角度および位置移動のフレキシブル制限体の構造形態をいれることを特徴とするハンマー。
【請求項１０】
請求項１記載のハンマーにおいて、振られる枢設軸を持つ取っ手構造（２００）があり、多段式構造設計として、主に、振られるハンマーヘッドの構造（１００）と振られる枢設軸を持つ取っ手構造（２００）との間に中継関節（６００）を追加し、中継関節（６００）の両端にははめられる枢設軸構造があり、貫通する回転軸（１０５）で、それぞれ枢設軸を持つ取っ手構造（２００）と振られるハンマーヘッドの構造（１００）との相対的な枢設軸関節（６０１）、（６０２）とにリンクし、回転軸（１０５）はニーズにより弾性フレキシブル材料（２０４）をはめるかどうかを選択し、前記枢設関節の角度および位置移動のフレキシブル制限体の構造形態をいれることを特徴とするハンマー。
【請求項１１】
請求項１記載のハンマーにおいて、多段式構造として、主に、振られるハンマーヘッドの構造（１００）と振られる枢設軸を持つ取っ手構造（２００）との間に一段又は一段以上の追加構造を入れ、その追加構造は前後に枢設軸を具有し、ハンマーヘッドの構造（１００）と振られる枢設軸を持つ取っ手構造（２００）とを回転軸で結合する重畳体又は中継ブロック（８００）であり、相互にリンクして振られる角度を制限する枢設軸のリンク構造の間に弾性フレキシブル材料（２０４）を入れ、回転軸（１０５）はニーズにより弾性フレキシブル材料（２０４）をはめるかどうかを選択することを特徴とするハンマー。
【請求項１２】
請求項１記載のハンマーにおいて、振られる枢設軸を持つ取っ手構造（２００）は一端に異なる材質のハンドル（２００’）で握り末端が構成され、他端が枢設軸に結合する出力段（７０１）であり、ハンマーヘッドの構造（１００）にリンクし、枢設軸構造から形成される出力段（７０１）にはハンドルと同じ軸方向の結合孔（７００）、ならびにハンマーヘッドの構造（１００）にリンクする枢設軸構造（１０３）があり、回転軸（１０５）を介して自在に振られるようにリンクし、回転軸（１０５）はニーズにより弾性フレキシブル材料（２０４）をはめるかどうかを選択し、前記異なる材質のハンドルを結合孔に貫通させる結合方式は緊密に押し入れる方式を採用し、嵌め入れ方式の固定薄片での結合、膠での粘着、熱膨張冷縮方式又は既存の方式を採用してしっかり結合することを特徴とするハンマー。
【請求項１３】
請求項１記載のハンマーにおいて、ハンマーヘッドの構造形状および材質はニーズに応じて選択可能であり、特別なものは一端に釘を抜く機能を具有する羊角ハンマーであり、釘を抜くヘッドはハンマーヘッド、又は振られる枢設軸を持つ取っ手構造（２００）の出力段に配置することを特徴とするハンマー。
【発明の詳細な説明】
【０００１】
【発明の属する技術分野】
本発明は、たたく方向に沿って振られることができる弾性枢設軸の関節を持つハンマーに関するものであり、特に、たたいているとき、たたく方向に沿って振られる枢設軸を中心として発生する逆作用力を振られる方向に解放させることによりユーザの傷害を避けるハンマーに関する。
【０００２】
【従来の技術】
従来より、たたく道具はハンマーを例として挙げて見ると、取っ手とハンマーヘッドとがほぼ剛性のように結合している又は軸方向に沿って両者を貫通して結合する構造の間にフレキシブルなものが設けられている。
【０００３】
【発明が解決しようとする課題】
しかしながら、それらの共同特性は、ハンマーがたたいているとき、発生する逆作用力が取っ手に戻るため、連続的に高密度で重くたたくと、手の指およびアームが傷害を受ける。
したがって本発明の目的は、たたく方向に沿って振られる弾性枢設軸の関節を持ち、ハンマーヘッドと取っ手とのたたく方向に一つ又は一つ以上の該方向に振られる枢設軸を中心として逆作用力を振られる方向に解放することにより、ユーザの手指および肢体の傷害が避けられるハンマーを提供することにある。
【０００４】
【課題を解決するための手段】
つまり、本発明の請求項記載のたたく方向に沿って振られることができる弾性枢設軸の関節を持つハンマーは、ハンマーヘッドと取っ手とのたたく方向に一つ又は一つ以上の該方向に振られる枢設軸を中心として逆作用力を振られる方向に解放するため、ユーザの手指および肢体の傷害が避けられる。
【０００５】
【発明の実施の形態】
本発明の目的、特徴および効果などをご了解なさるため、以下、さらに具体的な実施例を図面にあわせて詳しく説明してみよう。
図１から図４を御覧下さい。図１は本発明の一実施例であり、図２は図１をＡ−Ａ’ラインに沿って見た断面図であり、図３は図１の振られる関節の逆向きの構造の実施例であり、図４は図３をＢ−Ｂ’ラインに沿って見た断面図である。
【０００６】
たたく方向に沿って振られることができる弾性枢設軸の関節を持つハンマーは、主に次の要素を含む。
振られるハンマーヘッドの構造１００は、選定の材質で必要な幾何形状に一体化的にハンマーヘッド又はマルチアセンブリタイプのハンマーヘッド構造を造る。それは主に、ハンマーヘッド１０２、枢設軸構造１０３および回転軸１０５から形成される。回転軸１０５にニーズにより弾性フレキシブル材料２０４をはめるかどうかを選択する。振られるハンマーヘッドは、たたく力を受けるとき、枢設軸構造１０３を介してたたく方向に沿って角度および位置が移動し、振られることを特徴とする。
【０００７】
振られる枢設軸を持つ取っ手構造２００には、選定の材質で必要な幾何形状に一体又はマルチアセンブリタイプの構造を造る。それは、振られる枢設軸を具有する一端が握りのために用意され、他端に出力端として振られるハンマーヘッドの構造１００の枢設軸構造とリンクする枢設軸構造１０４がある。回転軸１０５は両者をリンクする枢設軸構造１０３である。回転軸１０５はねじ込み、リベット結合又は嵌め込み方式を採用する。また、回転軸１０５にニーズにより弾性フレキシブル材料２０４をはめるかどうかを選択する。したがって、たたく方向に沿って作用力を受けるとき、振られるハンマーヘッドの構造１００と振られる枢設軸を持つ取っ手構造２００との間には角度および位置の移動が生じる。
【０００８】
枢設関節の角度位置移動の制限体は、振られるハンマーヘッドの構造１００と振られる枢設軸を持つ取っ手構造２００との間に設置される。したがって、両者が力を受けない場合、フレキシブルな安定状態となる。両者が力を受ける場合、たたく方向に沿ってフレキシブルに角度および位置の移動が生じる。前述の枢設関節の角度位置移動の制限体は次の構造方式がある。
【０００９】
１．振られる枢設軸を持つ取っ手構造２００と振られるハンマーヘッド１００の構造との間に、薄片スプリング２０１、同じ機能のコイル形状スプリング又は重畳薄片式スプリングを放置し、枢設関節の角度位置移動の制限体を構成する。
【００１０】
２．図５は本発明の実施例（二）であり、図６は図５をＣ−Ｃ’ラインから見た断面図であり、図７は図５の振られる関節の逆向きの構造の実施例であり、図８は図７をＤ−Ｄ’ラインから見た断面図である。振られる枢設軸を持つ取っ手構造２００と振られるハンマーヘッドの構造１００との間では、一方又は両者の構造体がたたく方向に沿って延び、弾性の構造２０２になり、枢設関節の角度位置移動の制限体となる。さらに、ニーズに応じて弾性構造と振られるハンマーヘッドの構造１００との間に、重畳薄片式スプリング２０３を追加してもよい。
【００１１】
３．図９は本発明の実施例（三）であり、図１０は図９をＥ−Ｅ’ラインから見た断面図であり、図１１は図１０の振られる関節の逆向きの構造の実施例であり、図１２は図１１をＭ−Ｍ’ラインから見た断面図である。振られる枢設軸を持つ取っ手構造２００と振られるハンマーヘッドの構造１００との間に、弾性フレキシブル材料２０４を選定して設置する。例えば、ＰＵ、プラスチック又はゴムなどの弾性フレキシブル材料を枢設関節の角度位置移動の制限体とする。
【００１２】
４．図１３は本発明の実施例（四）であり、図１４は図１３をＦ−Ｆ’ラインから見た断面図であり、図１５は図１３の振られる関節の逆向きの構造の実施例であり、図１６は図１５をＧ−Ｇ’ラインから見た断面図である。振られる枢設軸を持つ取っ手構造２００と振られるハンマーヘッドの構造１００との間に、相互にはめあわせる枢設軸構造を設置する。両者を結合すると、たたく方向に沿って角度および位置移動の空間が生じる。角度および位置移動の空間に、前述の第１項又は第２項の弾性構造又は第３項目の弾性フレキシブル材料２０４を配置する。そして、たたく前の振られる枢設軸を持つ取っ手構造２００と振られるハンマーヘッドの構造１００との間のフレキシブルかつ安定した状態を維持する。
【００１３】
５．振られる枢設軸を持つ取っ手構造２００と振られるハンマーヘッドの構造１００との間および枢設軸と枢設軸との間に、ギャップ又は弾性フレキシブル材料２０４を選定設置する。例えば、ＰＵ、プラスチック又はゴムなどの弾性フレキシブル材料を枢設関節の角度位置移動の制限体とする。
【００１４】
図１７および図１８を御覧下さい。前述の振られる枢設軸を持つ取っ手構造２００は多段式構造を採用してもよい。図１７は本発明の他の実施例（五）であり、図１８は図１７をＨ−Ｈ’ラインから見た断面図である。多段式構造の実施例として振られるハンマーヘッドの構造１００の中段には、外大内小という階段式の横方向の貫通孔５０１（又は喇叭状孔）があり、その一端はキャップヘッドを持ち、他端は枢設軸を具有する中継棒３００が貫通する。中継棒３００の中間断面および振られるハンマーヘッドの構造１００の貫通孔は方孔又は近似方形孔であるが、結合した後で回転しない様々な幾何断面形状も採用できる。中継棒３００はキャップヘッドが外直径が振られるハンマーヘッドの横方向貫通孔の小さい口径より大きいため、脱落が防止されている。中継棒３００の枢設軸末端は振られる枢設軸を持つ取っ手構造２００の枢設軸構造１０３に貫通枢設軸１０５を介してリンクする。回転軸１０５にニーズにより弾性フレキシブル材料２０４をはめるかどうかを選択する。振られるハンマーヘッドの構造１００と振られる枢設軸を持つ取っ手構造２００との間には、たたく方向に沿って角度および位置移動の機能がある。両者の間には、角度および位置移動のフレキシブル制限機構もある。中継棒３００とハンマーヘッドとの間に、前述の枢設関節の角度および位置移動のフレキシブル制限体をいれる。それは、第３項の弾性フレキシブル材料２０４を選定設置する。例えば、ＰＵ、プラスチック又はゴムなどのフレキシブル材料を枢設関節の角度位置移動の制限体とする。また、振られるハンマーヘッドの構造１００と振られる枢設軸を持つ取っ手構造２００との間に、前述の第１項、第２項、第４項又は第５項の一つ又は一つ以上の枢設関節の角度位置移動の制限体構造を設置する。
【００１５】
図１９および図２０を御覧下さい。図１９は本発明の実施例（六）であり、図２０は図１９をＩ−Ｉ’ラインから見た断面図である。それは、前述の振られる枢設軸を持つ取っ手構造２００の他の多段式構造設計の実施例である。主に、振られるハンマーヘッドの構造１００と振られる枢設軸を持つ取っ手構造２００との間に、中継関節４００を追加する。中継関節４００の両端には、枢設軸構造がある。さらに、貫通する回転軸１０５で振られるハンマーヘッドの構造１００の枢設軸構造１０３と枢設軸を持つ取っ手構造２００の枢設軸構造はリンクする。
回転軸１０５にニーズにより弾性フレキシブル材料２０４をはめるかどうかを選択する。中継関節は中間部に外へ延びる構造を有するため、振られるハンマーヘッドの構造１００および枢設軸を持つ取っ手構造２００にリンクする。また、両者の間には、同時に、前述の枢設関節の角度および位置移動のフレキシブル制限体の第１項、第２項、第４項又は第５項の一つ又は一つ以上の構造形態をいれる。
【００１６】
図２１および図２２を御覧下さい。図２１は図１９の振られる関節の逆向きの構造の実施例であり、図２２は図２１をＪ−Ｊ’ラインから見た断面図である。
それは、前述の振られる枢設軸を持つ取っ手構造２００の他の多段式構造設計の実施例である。主に、振られるハンマーヘッドの構造１００と振られる枢設軸を持つ取っ手構造２００との間に、中継関節６００を追加する。中継関節６００の両端には、はめられる枢設軸構造がある。さらに、貫通する回転軸１０５で相対的な枢設軸を持つ取っ手構造２００の枢設軸関節６０１と振られるハンマーヘッドの構造１００の枢設軸関節６０２はリンクする。回転軸１０５にニーズにより弾性フレキシブル材料２０４をはめるかどうかを選択する。また、前述の枢設関節の角度および位置移動のフレキシブル制限体の第３項、第４項又は第５項の一つ又は一つ以上の構造形態をいれる。
【００１７】
図２３および図２４を御覧下さい。図２３は本発明の実施例（七）であり、図２４は図２３をＫ−Ｋ’ラインから見た断面図である。それは、前述の振られる枢設軸を持つ取っ手構造２００の他の多段式構造設計の実施例である。主に、図９および図１０の実施例の振られるハンマーヘッドの構造１００と振られる枢設軸を持つ取っ手構造２００との間に、一段又は一段以上の追加構造を入れる。その追加構造は、前後に枢設軸を具有し、ハンマーヘッドの構造１００と振られる枢設軸を持つ取っ手構造２００とを回転軸で結合する重畳体又は中継ブロック８００である。また、相互にリンクして振られる角度を制限する枢設軸のリンク構造の間に、弾性フレキシブル材料２０４を入れる。回転軸１０５にニーズにより弾性フレキシブル材料２０４をはめるかどうかを選択する。
【００１８】
その他、異なる応用ニーズに適応するため、図２５および図２６に示す構造を採用してもよい。図２５は本発明の異なる材質の取っ手を結合する実施例であり、図２６は図２５をＬ−Ｌ’ラインから見た断面図である。前述の振られる枢設軸を持つ取っ手構造２００は異なる材質のハンドル２００’であり、一端に握り末端が構成され、他端が枢設軸に結合する出力段７０１であり、ハンマーヘッドの構造１００にリンクする。枢設軸構造から形成されている出力段７０１には、ハンドルと同じ軸方向の結合孔７００がある他に、ハンマーヘッドの構造１００にリンクする枢設軸構造１０３もあり、回転軸１０５を介しハンマーヘッドの構造１００が自在に振られるようにリンクしている。回転軸１０５にニーズにより弾性フレキシブル材料２０４をはめるかどうかを選択する。前述の異なる材質のハンドルを前述の結合孔に貫通するという結合方式は、緊密に押し入れる方式を採用する。嵌め入れ方式の固定薄片で結合、膠で粘着、熱膨張冷縮方式又は既存の方式を採用し、しっかり結合する。
【００１９】
実際の応用において、ハンマーヘッドの構造形状および材質はニーズに応じて選択できる。特別な実施例は、一端に釘を抜く機能を具有する羊角ハンマーである。釘を抜くヘッドは従来のようにハンマーヘッドに配置する。又は図２７に示すような構造を採用する。それは、本発明の羊角の形状のハンマーを配置している実施例であり、振られる枢設軸を持つ取っ手構造２００の出力段に配置する。
【００２０】
以上の内容をまとめると、たたく方向に沿って振られることができる弾性枢設軸の関節を持つハンマーは、ハンマーヘッドと取っ手とのたたく方向に一つ又は一つ以上の該方向に振られる枢設軸を中心として逆作用力を振られる方向に解放するため、ユーザの手指および肢体の傷害を避けることができる。したがって、本発明は、確かに、新規な発想であり、立派な効果を有する。
【図面の簡単な説明】
【図１】本発明の一実施例による弾性枢設軸の関節を持つハンマーを示す模式図である。
【図２】図１をＡ−Ａ’ラインで切断した断面図である。
【図３】図１の振られる関節の逆向きの構造を示す模式図である。
【図４】図３をＢ−Ｂ’ラインで切断した断面図である。
【図５】本発明の実施例（二）による弾性枢設軸の関節を持つハンマーを示す模式図である。
【図６】図５をＣ−Ｃ’ラインで切断した断面図である。
【図７】図５の振られる関節の逆向きの構造を示す模式図である。
【図８】図７をＤ−Ｄ’ラインで切断した断面図である。
【図９】本発明の実施例（三）による弾性枢設軸の関節を持つハンマーを示す模式図である。
【図１０】図９をＥ−Ｅ’ラインで切断した断面図である。
【図１１】図１０の振られる関節の逆向きの構造を示す模式図である。
【図１２】図１１をＭ−Ｍ’線で切断した断面図である。
【図１３】本発明の実施例（四）による弾性枢設軸の関節を持つハンマーを示す模式図である。
【図１４】図１３をＦ−Ｆ’ラインで切断した断面図である。
【図１５】図１３の振られる関節の逆向きの構造を示す模式図である。
【図１６】図１５をＧ−Ｇ’ラインで切断した断面図である。
【図１７】本発明の実施例（五）による弾性枢設軸の関節を持つハンマーを示す模式図である。
【図１８】図１７をＨ−Ｈ’ラインで切断した断面図である。
【図１９】本発明の実施例（六）による弾性枢設軸の関節を持つハンマーを示す模式図である。
【図２０】図１９のＩ−Ｉ’ラインで切断した断面図である。
【図２１】図１９の振られる関節の逆向きの構造を示す模式図である。
【図２２】図２１をＪ−Ｊ’ラインで切断した断面図である。
【図２３】本発明の実施例（七）による弾性枢設軸の関節を持つハンマーを示す模式図である。
【図２４】図２３をＫ−Ｋ’ラインで切断した断面図である。
【図２５】本発明の異なる材質の取っ手を結合する実施例を示す模式図である。
【図２６】図２５をＬ−Ｌ’ラインで切断した断面図である。
【図２７】本発明の羊角の形状のハンマーを配置する実施例を示す模式図である。
【符号の説明】
１００　　振られるハンマーヘッドの構造
１０１　　ハンマー本体
１０２　　ハンマーヘッド
１０３　　枢設軸の構造
１０４　　枢設軸の構造
２００　　振られる枢設軸を持つ取っ手の構造
２００’　ハンドル
２０１　　薄片状のスプリング
２０２　　弾性の構造
２０３　　重畳薄片のスプリング
２０４　　弾性フレキシブル材料
３００　　中継棒
４００　　中継関節
６００　　中継関節
５０１　　貫通孔
６０１　　関節構造
６０２　　関節構造
７００　　結合孔
７０１　　枢設軸を持つ出力段
８００　　中継ブロック
【図１】
2004042201.tif 000003
【図２】
2004042201.tif 000004
【図３】
2004042201.tif 000005
【図４】
2004042201.tif 000006
【図５】
2004042201.tif 000007
【図６】
2004042201.tif 000008
【図７】
2004042201.tif 000009
【図８】
2004042201.tif 000010
【図９】
2004042201.tif 000011
【図１０】
2004042201.tif 000012
【図１１】
2004042201.tif 000013
【図１２】
2004042201.tif 000014
【図１３】
2004042201.tif 000015
【図１４】
2004042201.tif 000016
【図１５】
2004042201.tif 000017
【図１６】
2004042201.tif 000018
【図１７】
2004042201.tif 000019
【図１８】
2004042201.tif 000020
【図１９】
2004042201.tif 000021
【図２０】
2004042201.tif 000022
【図２１】
2004042201.tif 000023
【図２２】
2004042201.tif 000024
【図２３】
2004042201.tif 000025
【図２４】
2004042201.tif 000026
【図２５】
2004042201.tif 000027
【図２６】
2004042201.tif 000028
【図２７】
2004042201.tif 000029